(57)【要約】【課題】同じボリュームに多重記録される容量に対し記録するデータに端数が生じた場合、記録容量に生じる無駄が大きいという課題があった。この無駄は、ホログラフィック記録媒体がライトワンスのタイプである場合、追記を行うと記録容量の実質的な低下を生じ特に大きい問題となる。本発明の目的は、ホログラム記録で大容量、高速記録を実現しながら、様々なサイズのファイルを効率よく記録することである。【解決手段】記録を一時終了するときに、同じボリュームに対し多重書きする容量であるブックに対し端数となるデータを補助的な記録部分もしくは補助的な記録装置に記録する、記録の一時停止後再び、追記する時には端数分のデータを補助的な記録部分もしくは補助的な記録装置から読み出して追記するデータにつなげて記録できることで、多重度が高く記録密度の高いホログラフィックメモリ記録媒体に無駄なくデータを追記することができる。【選択図】  図２
2009301627.tif 000002
【特許請求の範囲】
【請求項１】
ホログラフィックメモリに情報を記録する記録装置であって、
記録する情報を入力するインターフェース回路と、
前記インターフェース回路から入力された情報を変調する変調回路と、
前記変調回路にて変調された情報をホログラフィックメモリへ所定ボリュームごとに多重記録する記録手段と、
を有し、
前記ホログラフィックメモリを所定のタイミングで定着するときには、前記インターフェース回路から入力された情報のうちホログラフィックメモリへ所定ボリュームごとに多重記録できた分については定着処理を行い、前記インターフェース回路から入力された情報のうちホログラフィックメモリへ所定ボリュームごとに多重記録できなかった分については定着処理を行わない、
記録装置。
【請求項２】
請求項１に記載の記録装置であって、
前記所定タイミング後に前記インターフェース回路から新たな情報が入力されたときには、前記所定のタイミングで定着処理ができなかった情報と前記新たな情報とをホログラフィックメモリへ所定ボリュームごとに多重記録し、定着処理する、
記録装置。
【請求項３】
請求項１に記載の記録装置であって、
情報を保持するメモリと、
を有し、
前記所定のタイミングで定着処理ができなかった情報は、前記メモリに保持する、
記録装置。
【請求項４】
請求項３に記載の記録装置であって、
前記所定タイミング後に前記インターフェース回路から新たな情報が入力されたときには、前記メモリに保持されている所定のタイミングで定着処理ができなかった情報と前記新たな情報とをホログラフィックメモリへ所定ボリュームごとに多重記録し、定着処理する、
記録装置。
【請求項５】
請求項１に記載の記録装置であって、
該記録装置は、ホログラフィックメモリ部とビットバイビット記録トラックからなる光記録媒体を装着可能であり、
前記ホログラフィックメモリを所定のタイミングで定着するときには、前記インターフェース回路から入力された情報のうちホログラフィックメモリへ所定ボリュームごとに多重記録できた分については定着処理を行い、前記インターフェース回路から入力された情報のうちホログラフィックメモリへ所定ボリュームごとに多重記録できなかった分についてはビットバイビット記録トラックに記録する、
記録装置。
【請求項６】
ホログラフィックメモリに情報を記録する記録装置であって、
記録する情報を入力するインターフェース回路と、
前記インターフェース回路から入力された情報を変調する変調回路と、
前記変調回路にて変調された情報をホログラフィックメモリへ所定ボリュームごとに多重記録する記録手段と、
を有し、
前記ホログラフィックメモリを所定のタイミングで定着するときには、前記インターフェース回路から入力された情報のうちホログラフィックメモリへ所定ボリュームごとに多重記録できた分については定着処理を行い、前記インターフェース回路から入力された情報のうちホログラフィックメモリへ所定ボリュームごとに多重記録できなかった分については、ダミーデータを付加し所定ボリュームでホログラフィックメモリへ記録し定着処理する、
記録装置。
【請求項７】
ホログラフィックメモリに情報を記録する記録方法であって、
記録する情報を入力し、
前記入力された情報を変調し、
前記変調された情報をホログラフィックメモリへ所定ボリュームごとに多重記録し、
前記ホログラフィックメモリを所定のタイミングで定着するときには、前記入力された情報のうちホログラフィックメモリへ所定ボリュームごとに多重記録できた分については定着処理を行い、前記入力された情報のうちホログラフィックメモリへ所定ボリュームごとに多重記録できなかった分については定着処理を行わない、
記録方法。
【請求項８】
請求項７に記載の記録方法であって、
前記所定タイミング後に新たな情報が入力されたときには、前記所定のタイミングで定着処理ができなかった情報と前記新たな情報とをホログラフィックメモリへ所定ボリュームごとに多重記録し、定着処理する、
記録方法。
【請求項９】
請求項７に記載の記録方法であって、
前記所定のタイミングで定着処理ができなかった情報は、メモリに保持する、
記録方法。
【請求項１０】
請求項９に記載の記録方法であって、
前記所定タイミング後に新たな情報が入力されたときには、前記メモリに保持されている所定のタイミングで定着処理ができなかった情報と前記新たな情報とをホログラフィックメモリへ所定ボリュームごとに多重記録し、定着処理する、
記録方法。
【発明の詳細な説明】
【技術分野】
【０００１】
本発明は、ホログラフィを用いて情報を記録する光情報記録装置および光情報記録方法に関する。
【背景技術】
【０００２】
現在、青紫色半導体レーザを用いた、Ｂｌｕ−ｒａｙ  Ｄｉｓｃ（ＢＤ）規格やＨｉｇｈ  Ｄｅｆｉｎｉｔｉｏｎ  Ｄｉｇｉｔａｌ  Ｖｅｒｓａｔｉｌｅ  Ｄｉｓｃ（ＨＤ  ＤＶＤ）規格などにより、民生用においても５０ＧＢ程度の記録密度を持つ光ディスクの商品化が可能となってきた。
【０００３】
今後は、光ディスクでも１００ＧＢ〜１ＴＢというＨＤＤ（Ｈａｒｄ  Ｄｉｓｃ  Ｄｒｉｖｅ）容量と同程度まで大容量化が望まれる。
【０００４】
しかしながら、このような超高密度を光ディスクで実現するためには、今までの様な短波長化と対物レンズ高ＮＡ化による従来の高密度技術のトレンドとは異なった新しいストレージ技術が必要となる。
【０００５】
次世代のストレージ技術に関する研究が行われる中、ホログラフィを利用してデジタル情報を記録するホログラム記録技術が注目を集めている。
【０００６】
ホログラム記録技術とは、空間光変調器により２次元的に変調されたページデータの情報を有する信号光と、参照光とを記録媒体の内部で重ね合わせ、その時に生じる干渉縞パターンによって記録媒体内に屈折率変調を生じさせることで情報を記録する技術である。
【０００７】
また情報の再生時には、記録時に用いた参照光を同じ配置で記録媒体に照射すると、記録媒体中に記録されているホログラムが回折格子のように作用して回折光を生じる。この回折光が記録した信号光と位相情報を含めて同一の光として再生される。
【０００８】
再生された信号光は、ＣＭＯＳやＣＣＤなどの光検出器を用いて２次元的に高速に検出される。このようにホログラム記録では、１つのホログラムで２次元的な情報を同時に記録／再生され、また同じ場所に複数のページデータを重ね書きすることができるため、大容量かつ高速な情報の記録再生に有効である。
【０００９】
ホログラム記録技術として、例えば特開２００４−２７２２６８号公報（特許文献１）がある。本公報には、信号光束をレンズで光情報記録媒体に集光すると同時に、平行光束の参照光を照射して干渉させてホログラムの記録を行い、さらに参照光の光記録媒体への入射角度を変えながら異なるページデータを空間光変調器に表示して多重記録を行う、いわゆる角度多重記録方式が記載されている。さらに本公報には、信号光をレンズで集光してそのビームウエストに開口（空間フィルタ）を配することにより、隣接するホログラムの間隔を短くすることができ、従来の角度多重記録方式に比べて記録密度／容量を増大させる技術が記載されている。
【００１０】
また、ホログラム記録技術として、例えばＷＯ２００４−１０２５４２号公報（特許文献２）がある。本公報には、１つの空間光変調器において内側の画素からの光を信号光、外側の輪帯状の画素からの光を参照光として、両光束を同じレンズで光記録媒体に集光し、レンズの焦点面付近で信号光と参照光を干渉させてホログラムを記録するシフト多重方式を用いた例が記述されている。
【００１１】
また、ホログラム記録技術として、例えば特開２００７−２５６９４５号公報（特許文献３）がある。本公報には、多重記録した後に、ホログラフィック記録媒体を定着させて、再生を安定して行なうことを可能とする技術が記載されている。
【００１２】
【特許文献１】特開２００４−２７２２６８号公報
【特許文献２】ＷＯ２００４−１０２５４２号公報
【特許文献３】特開２００７−２５６９４５号公報
【発明の開示】
【発明が解決しようとする課題】
【００１３】
ところで、ホログラム記録で大容量、高速記録を実現するには、特許文献１もしくは特許文献２に挙げられる多重記録方式において、多重されるデータページ1枚のサイズを大きく取ることと、データページを何枚多重してブックを構成するかという多重度を上げることが必要である。この条件下で特許文献３に記載されるように再生を安定して行うための定着を行なうのは最小の単位でもブック単位となる。つまり記録を行なう単位は最小でもブック単位となり、ＣＤ、ＤＶＤ、Ｂｌｕ−ｒａｙＤｉｓｃと言ったビットバイビットの記録方式に対し、任意のサイズのデータを効率的に記録するのはむずかしいといった課題があった。つまり、様々なサイズのファイルを追記することについては考慮されていなかった。即ち、同じボリュームに多重記録される容量に対し記録するデータに端数が生じた場合、記録容量に生じる無駄が大きいという課題があった。この無駄は、ホログラフィック記録媒体がライトワンスのタイプである場合、追記を行うと記録容量の実質的な低下を生じ特に大きな課題となる。
【００１４】
本発明の目的は、ホログラム記録で大容量、高速記録を実現しながら、様々なサイズのファイルを効率よく記録することである。
【課題を解決するための手段】
【００１５】
本発明の目的は、その一例として特許請求の範囲に記載の構成により達成できる。
【発明の効果】
【００１６】
本発明によれば、ホログラム記録で大容量、高速記録を実現しながら、様々なサイズのファイルを効率よく記録することができる。
【発明を実施するための最良の形態】
【００１７】
以下、本発明の第１の実施例について説明する。図１はホログラフィを利用してデジタル情報を記録する光情報記録方法を示すフローチャートである。記録処理を開始すると（１００）、まずデータの入力を行い（１０１）、データの入力が継続され記録を継続するならば（１０２，Ｎｏ）、１ブック（同じボリュームに多重されて記録されるデータ単位）のデータが入力されるのを待ち(１０３，Ｎｏ)、１ブック分のデータが入力されると（１０３，Ｙｅｓ）、ホログラフィック記録を行なうための符号化の処理として、訂正符号の付加(１０４)、２次元変調（１０５）が行なわれて、２次元のページデータの画像が生成され、参照光との干渉縞が記録される。そして、例えば角度多重ならば、同じボリュームに対し参照光の角度を変えてホログラムを多重させてブック単位の記録を行なう(１０６)。同じボリュームに多重させる分（即ちブック分）の記録が終わった後、各ブックのデータは定着される(１０７)。こうして、１０１から１０７でブック単位のデータの記録が繰り返されていく。データの入力が終了して（１０２，Ｙｅｓ）,未記録済のデータ容量が丁度ブック単位であれば（１０８,Ｎｏ）１０４から１０７の処理を行ないブック単位のホログラフィック記録を行なう。未記録済のデータ容量がブック容量に対し端数が生じる場合（１０８,Ｙｅｓ）は、固定データを付加し（１０９）、丁度ブック単位のデータとなるようにした上で、ホログラフィック記録を行なうための符号化の処理として、訂正符号の付加(１１０)、２次元変調（１１１）が行なわれて、２次元のページデータの画像が生成され、参照光との干渉縞が記録される。そして、例えば角度多重ならば、同じボリュームに対し参照光の角度を変えてホログラムを多重させてブック単位の記録を行なう(１１２)。同じボリュームに多重させる分（即ちブック分）の記録が終わった後、各ブックのデータは定着されて(１１３)、記録を終了する。以上、本実施例によれば、入力されるデータの容量によらず、同じボリュームに対しホログラムを多重させて記録する容量であるブック単位で記録および定着が行うことが可能となる。
【００１８】
次に、本発明の第２の実施例について説明する。第２の実施例は図４に示す構成の媒体に記録することを前提としたものである。図４において、４０１は内周に設けられたビットバイビットの記録方式でデータが記録される記録トラック（例えばＤＶＤフォーマットに従った記録トラック）であり、４０２に代表される黒丸はホログラフィック記録の各ブックを示す。図２は図４に示す媒体にホログラフィを利用してデジタル情報を記録する光情報記録方法を示すフローチャートである。記録処理を開始すると（１００）、まずデータの入力を行い（１０１）、データの入力が継続され記録を継続するならば（１０２，Ｎｏ）、１ブック（同じボリュームに多重されて記録されるデータ単位）のデータが入力されるのを待ち(１０３，Ｎｏ)、１ブック分のデータが入力されると（１０３，Ｙｅｓ）、ホログラフィック記録を行なうための符号化の処理として、訂正符号の付加(１０４)、２次元変調（１０５）が行なわれて、２次元のページデータの画像が生成され、参照光との干渉縞が記録される。そして、例えば角度多重ならば、同じボリュームに対し参照光の角度を変えてホログラムを多重させてブック単位の記録を行なう(１０６)。同じボリュームに多重させる分（即ちブック分）の記録が終わった後、各ブックのデータは定着される(１０７)。こうして、１０１から１０７でブック単位のデータの記録が繰り返されていく。データの入力が終了して（１０２，Ｙｅｓ）,未記録済のデータ容量が丁度ブック単位であれば（１０８,Ｎｏ）１０４から１０７の処理を行ないブック単位のホログラフィック記録を行なう。未記録済のデータ容量がブック容量に対し端数が生じる場合（１０８,Ｙｅｓ）は、端数のデータをビットバイビットの記録フォーマットに従って記録トラックに記録する。記録フォーマットがＤＶＤである場合について説明する。まず、ＤＶＤ記録フォーマットに従って誤り訂正符号を付加し(２０１)、ＤＶＤ記録フォーマットに従って変調を行い（２０２）、図４、４０１のＤＶＤ記録トラックにデータを記録して（２０４）記録を停止する（２０４）。そして処理は終了（２０５）する。ＤＶＤ記録フォーマットでは３２Ｋバイト単位で記録を行なうことができるため、ホログラフィックの定着を行なうことができる最小単位であるブックに比べてはるかに小さい単位でデータを記録することができるため、ブックに満たない端数分のデータも無駄なく記録できる。これは、ホログラフィック記録部がライトワンスのタイプである場合、容量の有効活用上で特に好適である。また、記録媒体製造上の都合から、ＤＶＤ記録トラックがホログラフィック記録部と同じくライトワンスのタイプでも、記録単位が小さいため、記録終了処理の回数が大きくなっても影響は限定される。
【００１９】
次に、第２の実施例の図２に示す記録方法に従って記録を行い記録終了時に端数が生じた媒体に対して、追記を行なう場合の処理について図３を用いて説明する。追記を開始すると（１００）、前回記録をしたときの終了時にホログラフィック記録が丁度ブック単位で終了したか、端数が出てビットバイビット記録フォーマットトラック（ＤＶＤ記録フォーマットトラックを例に取る）への記録が生じたかを判定する。端数が無いと判定された場合（３００，Ｎｏ）は、データ入力１０１に進み以降の処理１０２、１０３、１０４、１０５、１０７、１０８、２０１、２０２、２０３、２０４、２０５の動作は前記第２図の説明と同じ動作である。端数が有ると判定された場合（３００，Ｙｅｓ）は、ＤＶＤ記録トラックから端数分を再生し（３０１）、データの入力の先頭とし（３０２）、１０１で入力されるデータに接続されるようにする。１０１で入力されたデータはＤＶＤ記録トラックから再生された端数分のデータと接続された上で、以降の処理１０２、１０３、１０４、１０５、１０７、１０８、２０１、２０２、２０３、２０４、２０５の動作は前記第２図の説明と同じ動作となる。
【００２０】
以上、本実施例によれば記録を一旦終了するときにホログラフィック記録の同じボリュームに多重して記録する単位であるブックの容量に満たない端数が出ても、最小記録単位のはるかに小さいビットバイビット方式の記録トラックに端数分を記録することができ、更に、追記を行なう場合は、ビットバイビット方式の記録トラックから端数分を再生して追記するデータに接続した上で、ホログラフィック記録を行なうことができるので、データの記録容量によらず効率よく追記することが可能となる。これは、ホログラフィック記録部がライトワンスのタイプである場合、容量の有効活用上で特に好適である。また、記録媒体製造上の都合から、ＤＶＤ記録トラックがホログラフィック記録部と同じくライトワンスのタイプでも、記録単位が小さいため、記録終了処理の回数が大きくなっても影響は限定される。
【００２１】
次に本発明の第３の実施例を図５を用いて説明する。図５は図２、図３によって説明された第１の実施例であるホログラフィックの記録方法を実現するホログラフィックの記録装置のブロック図である。図５において５０１は入力インターフェース回路であり、図２、３におけるデータ入力における入力のインターフェースを行なう部分である。入力インターフェース回路５０１から入力されたデータはメモリ制御回路５０２を介してメモリ１（５０３）に格納されていく。メモリ１（５０３）に格納されたデータが１ブック分に達する毎にホログラフィック訂正符号生成回路５０４においてホログラフィック記録用訂正符号の付加（図２、３の１０４）が行なわれる。訂正符号が付加されたデータはメモリ１(５０３)からメモリ制御回路５０２を介して読み出されホログラフィック記録フォーマットに従った２次元変調（図２、３の１０５）が行われてイメージデータとされ記録用イメージとして逐次出力され同じボリュームに多重記録されていく(１０６)。これらの処理を行なう時、メモリ制御回路はデータの読み出し順を制御することで、ホログラフィック記録フォーマットに従ったインターリーブ処理なども執り行なう。データ入力が終了し端数が生じた場合（図２、３の１０８，Ｙｅｓ）、端数分のデータはメモリ１（５０３）より読み出されメモリ制御回路５０２メモリ制御回路５０６を介してメモリ２（５０７）に格納される。メモリ２（５０６）に格納された入力データの端数分に対しては、ＤＶＤ訂正符号生成回路５０８によってＤＶＤフォーマットに従って訂正符号が付加され（図２，３の２０１）た後、ＤＶＤ変調回路５０９によってＤＶＤフォーマットに従った変調処理が行なわれ（図２，３の２０２）て記録媒体のＤＶＤ記録トラックに記録されて端数分のデータも記録媒体に記録されて記録処理は一旦終了する。このあと、当該記録媒体にホログラフィックで追記する場合について説明する。追記を行なう場合、追記前の記録時にホログラフィック記録のブックに対して端数が生じた場合(図３の３００  Ｙｅｓ)は記録媒体のＤＶＤ記録トラックから端数分のデータを読み出しＤＶＤ復調回路５１１で復調処理されたうえでメモリ制御回路２（５０６）を介してメモリ２(５０７)に格納され、ＤＶＤ誤り訂正回路(５１０)で誤り訂正が行なわれＤＶＤ記録トラックの再生処理が行なわれる（図３の３０２）。メモリ２に格納された誤り訂正処理済みの端数分のデータはメモリ制御回路２（５０６）とメモリ制御回路１（５０２）を介してメモリ１に格納される。メモリ１にてインターフェース回路５０１より新たに入力されるデータと接続され、データが１ブック分に達する毎にホログラフィック訂正符号生成回路５０４においてホログラフィック記録用訂正符号の付加（図２、３の１０４）が行なわれる。訂正符号が付加されたデータはメモリ１(５０３)からメモリ制御回路５０２を介して読み出されホログラフィック記録フォーマットに従った２次元変調（図２、３の１０５）が行われてイメージデータとされ記録用イメージとして逐次出力され同じボリュームに多重記録されていく(１０６)。本実施例の記録装置において追記はこの動作の繰り返しで実現される。なお、本実施例では、１ブック分のデ��タがメモリ１（５０３）に格納されてからホログラフィック記録フォーマットに従った誤り訂正符号の付加を開始したが、インターリーブの規則によってはより早いタイミングで処理を行なっても構わない。
【００２２】
以上、本実施例においては、第１の実施例によるホログラフィックの記録方法を実現する記録装置を提供することが可能である。また、ビットバイビット記録のトラックのレーザー波長をホログラフィック記録を行なうレーザー波長と異ならせると、ビットバイビットの記録トラックに記録するときにホログラフィック記録部を感光させる心配が無く、ホログラフィック記録部の品質を確保した記録が可能となる。また、本実施例では、ホログラフィック記録部のブックのデータ容量に満たない端数分をビットバイビットの記録方式で記録することにしたが、端数分の記録もホログラフィック記録で、しかし、ページのサイズを小さくして多重記録するボリュームの面積を小さく取ることで端数記録用にデータ容量の小さいブックを記録するエリアを設けて、小さいページサイズで記録することによっても同等の効果を実現できる。
【００２３】
次に、本発明の第４の実施例について図６と図７を用いて説明する。図６と図７はホログラフィック記録の方法を示したフローチャートである。第３の実施例はホログラフィック記録を終了するときにブックに満たない端数が生じた場合、端数分を記録媒体にではなく、記録装置の補助記録装置に記録することを特徴とするものである。以下、図６を用いてホログラフィック記録の動作について説明する。ホログラフィック記録記録処理を開始すると（１００）、まずデータの入力を行い（１０１）、データの入力が継続され記録を継続するならば（１０２，Ｎｏ）、１ブック（同じボリュームに多重されて記録されるデータ単位）のデータが入力されるのを待ち(１０３，Ｎｏ)、１ブック分のデータが入力されると（１０３，Ｙｅｓ）、ホログラフィック記録を行なうための符号化の処理として、訂正符号の付加(１０４)、２次元変調（１０５）が行なわれて、２次元のページデータの画像が生成され、参照光との干渉縞が記録される。そして、例えば角度多重ならば、同じボリュームに対し参照光の角度を変えてホログラムを多重させてブック単位の記録を行なう(１０６)。同じボリュームに多重させる分（即ちブック分）の記録が終わった後、各ブックのデータは定着される(１０７)。こうして、１０１から１０７でブック単位のデータの記録が繰り返されていく。データの入力が終了して（１０２，Ｙｅｓ）,未記録済のデータ容量が丁度ブック単位であれば（１０８,Ｎｏ）１０４から１０７の処理を行ないブック単位のホログラフィック記録を行なう。未記録済のデータ容量がブック容量に対し端数が生じる場合（１０８,Ｙｅｓ）は、端数のデータを記録装置の補助記録装置に記録する(６０１)。そして記録処理は終了（２０５）する。補助記録装置で端数分の記録を行なうことができるため、ホログラフィックの定着を行なうことができる最小単位であるブックのサイズを意識せずに端数分のデータも無駄なく記録できる。
【００２４】
次に、第４の実施例の図６に示す記録方法に従って記録を行い記録終了時に端数が生じた媒体に対して、追記を行なう場合の処理について図７を用いて説明する。追記を開始すると（１００）、前回記録をしたときの終了時にホログラフィック記録が丁度ブック単位で終了したか、端数が出て補助記録装置への端数分の記録が生じたかを判定する。端数が無いと判定された場合（３００，Ｎｏ）は、データ入力１０１に進み以降の処理１０２、１０３、１０４、１０５、１０７、１０８、６０１、２０５の動作は前記第６図の説明と同じ動作である。端数が有ると判定された場合（３００，Ｙｅｓ）は、補助記録装置から端数分を再生し（７０１）、データの入力の先頭とし（３０２）、１０１で入力されるデータに接続されるようにする。１０１で入力されたデータは補助記録装置から再生された端数分のデータと接続された上で、以降の処理１０２、１０３、１０４、１０５、１０７、１０８、６０１、２０５の動作は前記第６図の説明と同じ動作となる。以上、本実施例によれば、ホログラフィック記録を同じボリュームに対して多重して記録するデータの容量のブックに満たない端数分のデータが記録終了時に発生しても、ホログラフィック記録媒体上ではなく、記録装置の補助記録装置に端数分のデータを記録することができ、追記を行なう時は、補助記録装置から端数分を読み出して追記する入力データと接続して記録するので無駄なくホログラフィック記録媒体にデータの追記記録を行うことが可能となる。また、補助記録装置の形態はＨＤＤや半導体メモリなどの書き換え型記録媒体を使って実現することも可能であり、この場合追記の回数が増大しても、補助記録装置の容量に不足を生じるようになることは無いという効果を持つ。
【００２５】
次に本発明の第５の実施例を図８を用いて説明する。図８は図６、図７によって説明された第３の実施例であるホログラフィックの記録方法を実現するホログラフィックの記録装置のブロック図である。図８において５０１は入力インターフェース回路であり、図６、７におけるデータ入力における入力インターフェースを行なう部分である。入力インターフェース回路５０１から入力されたデータはメモリ制御回路５０２を介してメモリ１（５０３）に格納されていく。メモリ１（５０３）に格納されたデータが１ブック分に達する毎にホログラフィック訂正符号生成回路５０４においてホログラフィック記録用訂正符号の付加（図６、７の１０４）が行なわれる。訂正符号が付加されたデータはメモリ１(５０３)からメモリ制御回路５０２を介して読み出されホログラフィック記録フォーマットに従った２次元変調（図６、７の１０５）が行われてイメージデータとされ記録用イメージとして逐次出力され同じボリュームに多重記録されていく(１０６)。これらの処理を行なう時、メモリ制御回路はデータの読み出し順を制御することで、ホログラフィック記録フォーマットに従ったインターリーブ処理なども執り行なう。データ入力が終了し端数が生じた場合（図６、７の１０８，Ｙｅｓ）、端数分のデータはメモリ１（５０３）より読み出されメモリ制御回路５０２メモリ制御回路８０１を介してメモリ２（８０２）に格納される。メモリ２（８０２）に格納された入力データの端数分に対しては、補助記録装置８０５に適した符号化が、補助記録装置用符号化回路８０３で行なわれた後、補助記録装置８０５に記録されて記録処理は一旦終了する。このあと、当該記録媒体にホログラフィックで追記する場合について説明する。追記を行なう場合、追記前の記録時にホログラフィック記録のブックに対して端数が生じた場合(図７の３００  Ｙｅｓ)は補助記録装置８０５から端数分のデータを読み出し、補助記録装置の記録フォーマットに従った復号処理が、補助記録装置用復号回路８０４で実施された後で、メモリ制御回路８０１を介してメモリ２(８０２)に格納された復号済みの端数分のデータはメモリ制御回路２（８０１）とメモリ制御回路１（５０２）を介してメモリ１に格納される。メモリ１にてインターフェース回路５０１より新たに入力されるデータと接続され、データが１ブック分に達する毎にホログラフィック訂正符号生成回路５０４においてホログラフィック記録用訂正符号の付加（図７の１０４）が行なわれる。訂正符号が付加されたデータはメモリ１(５０３)からメモリ制御回路５０２を介して読み出されホログラフィック記録フォーマットに従った２次元変調（図７の１０５）が行われてイメージデータとされ記録用イメージとして逐次出力され同じボリュームに多重記録されていく(１０６)。本実施例の記録装置において追記はこの動作の繰り返しで実現される。なお、本実施例では、１ブック分のデータがメモリ１（５０３）に格納されてからホログラフィック記録フォーマットに従った誤り訂正符号の付加を開始したが、インターリーブの規則によってはより早いタイミングで処理を行なっても構わない。以上、本実施例においては、第３の実施例によるホログラフィックの記録方法を実現す���記録装置を提供することが可能である。
【００２６】
次に、本発明の第６の実施例について図９を用いて説明する。図９はホログラフィック記録の方法を示したフローチャートである。記録処理を開始すると（１００）、まずデータの入力を行い（１０１）、入力されたデータをフォログラフィック記録フォーマットに従った符号化を行うときの一時記憶に用いるメモリに入力されたデータを格納する（９０１）。データの入力が継続され記録を継続するならば（１０２，Ｎｏ）、１ブック（同じボリュームに多重されて記録されるデータ単位）のデータが、符号化を行うときの一時記憶に用いるメモリに格納されるのを待ち(１０３，Ｎｏ)、１ブック分のデータが入力されると（１０３，Ｙｅｓ）、ホログラフィック記録を行なうための符号化の処理として、訂正符号の付加(１０４)、２次元変調（１０５）が行なわれて、２次元のページデータの画像が生成され、参照光との干渉縞が記録される。そして、例えば角度多重ならば、同じボリュームに対し参照光の角度を変えてホログラムを多重させてブック単位の記録を行なう(１０６)。同じボリュームに多重させる分（即ちブック分）の記録が終わった後、各ブックのデータは定着される(１０７)。こうして、１０１から１０７でブック単位のデータの記録が繰り返されていく。データの入力が終了して（１０２，Ｙｅｓ）,未記録済のデータ容量が丁度ブック単位であれば（１０８,Ｎｏ）１０４から１０７の処理を行ないブック単位のホログラフィック記録を行なう。未記録済のデータ容量がブック容量に対し端数が生じる場合（１０８,Ｙｅｓ）は、端数のデータをフォログラフィック記録フォーマットに従った符号化を行うときの一時記憶に用いるメモリに格納されている端数分のデータを処理が終了してもデータが消失しないように保持する（９０２）。ブックに満たない端数分のデータは符号化用の一時記憶用のメモリに確保されるため、フォログラフィック記録媒体に対する記録は無駄なく行える。これは、ホログラフィック記録部がライトワンスのタイプである場合、容量の有効活用上で特に好適である。
【００２７】
次に、第６の実施例の図９に示す記録方法に従って記録を行い記録終了時に端数が生じた媒体に対して、追記を行なう場合の処理について図９を用いて説明する。追記を開始すると（１００）、前回記録をしたときの終了時にホログラフィック記録が丁度ブック単位で終了せず端数が出ていた場合は、９０２により符号化用の一時記憶用のメモリに確保されていた端数分のデータに、入力１０１で追記のため入力されたデータに接続される。以降の１０２、１０３、１０４、１０５、１０７、１０８、９０２、２０５の動作は前記したとおりである。以上、本実施例によれば記録を一旦終了するときにホログラフィック記録の同じボリュームに多重して記録する単位であるブックの容量に満たない端数が出ても、符号化用の一時記憶用のメモリに端数分を保持でき、更に、追記を行なう場合は、追記するデータをメモリ上に保持されている端数分のデータに接続した上で、ホログラフィック記録を行なうことができるので、データの記録容量によらず効率よく追記することが可能となる。これは、ホログラフィック記録部がライトワンスのタイプである場合、容量の有効活用上で特に好適である。また、本実施例はMRAM（magnetoresistive RAM），PRAM（phase change RAM），ReRAM（resistive RAM）などの非揮発性のRAMを用いると容易に実現することができる。
【００２８】
次に、本発明の第７の実施例について図１０と図１１を用いて説明する。図１０と図１１はホログラフィック記録の方法を示したフローチャートである。第７の実施例は第３の実施例と同様に、ホログラフィック記録を終了するときにブックに満たない端数が生じた場合、端数分を記録媒体にではなく、記録装置の補助記録装置に記録することを特徴とする。そして更には、ディスク全部を書き終わる前にディスクを記録装置から取り出すときにどのように処理するか具体化させたものである。以下、図１０を用いてホログラフィック記録の追記動作が、図７に比してどのように違うか、動作を順を追って説明する。追記を開始すると（１００）、前回記録をしたときの終了時にホログラフィック記録が丁度ブック単位で終了したか、端数が出て補助記録装置への端数分の記録が生じたかを判定する。端数が無いと判定された場合（３００，Ｎｏ）は、データ入力１０１に進み以降の処理１０２、１０３、１０４、１０５、１０７、１０８、６０１、１００１の動作は前記第７図の説明と同じ動作である。但し、記録を一時停止した後でディスクの取り出し要求が来た場合（１００２  Ｙｅｓ）は図１１に示されるターミネート処理が行なわれる。ターミネート処理は補助記録装置に保存された端数データに固定データを付加して（１１０９）ブック単位のデータとなるようにし、ブック容量となったデータに対し誤り訂正符号を付加し（１１１０）、２次元変調（１１１１）が行なわれて、２次元のページデータの画像が生成され、参照光との干渉縞が記録される。そして、例えば角度多重ならば、同じボリュームに対し参照光の角度を変えてホログラムを多重させてブック単位の記録を行なう(１１１２)。同じボリュームに多重させる分（即ちブック分）の記録が終わった後、各ブックのデータは定着される(１１１３)。こうして、ディスクを取り出す前に丁度ブック単位でデータが記録、定着が成される。また、記録を一時停止した後でディスクの取り出し要求が無い場合は（１００２  Ｎｏ）,記録再開を待って、１０１以降の処理に戻る。一方、３００で端数が有ると判定された場合（３００，Ｙｅｓ）は、補助記録装置から端数分を再生し（７０１）、データの入力の先頭とし（３０２）、１０１で入力されるデータに接続されるようにする。１０１で入力されたデータは補助記録装置から再生された端数分のデータと接続された上で、以降の処理１０２、１０３、１０４、１０５、１０７、１０８、６０１、１００１、１００２、１００４、１１０９−１１１４の動作は同様の動作となる。
【００２９】
以上、本実施例によれば、ホログラフィック記録を同じボリュームに対して多重して記録するデータの容量のブックに満たない端数分のデータが記録終了時に発生しても、ホログラフィック記録媒体上ではなく、記録装置の補助記録装置に端数分のデータを記録することができ、追記を行なう時は、補助記録装置から端数分を読み出して追記する入力データと接続して記録するので無駄なくホログラフィック記録媒体にデータの追記記録を行うことが可能となる。また、補助記録装置の形態はＨＤＤや半導体メモリなどの書き換え型記録媒体を使って実現することも可能であり、この場合追記の回数が増大しても、補助記録装置の容量に不足を生じるようになることは無いという効果を持つ。そして、端数分のデータが補助記録装置にある状態で記録媒体の記録装置からの取り出しの要求がある場合は、固定データが付加されてブック単位にアライメントされるので、ブック単位で記録定着が確実に行われて媒体の取出しが行なうことができる。
【図面の簡単な説明】
【００３０】
【図１】ホログラフィック記録方法の実施例を示すフローチャート
【図２】ホログラフィック記録方法の実施例を示すフローチャート
【図３】ホログラフィック記録方法の実施例を示すフローチャート
【図４】ホログラフィック記録媒体の実施例を示す概略図
【図５】ホログラフィック記録装置のの実施例を示すブロック図
【図６】ホログラフィック記録方法の実施例を示すフローチャート
【図７】ホログラフィック記録方法の実施例を示すフローチャート
【図８】ホログラフィック記録装置のの実施例を示すブロック図
【図９】ホログラフィック記録方法の実施例を示すフローチャート
【図１０】ホログラフィック記録方法の実施例を示すフローチャート
【図１１】ホログラフィック記録方法の実施例を示すフローチャート
【符号の説明】
【００３１】
１０２・・・データ入力終了判定処理、１０４・・・ホログラフィック記録用訂正符号付加、
１０５・・・ホログラフィック記録用変調、１０６・・・ブックデータ記録、
１０７・・・ブックデータ定着、１０８・・・データ端数発生判定処理、
２０１・・・ＤＶＤ記録用訂正符号付加、２０２・・・ＤＶＤ記録用変調、
２０３・・・ＤＶＤトラックデータ記録、５０１・・・インターフェース回路、
５０２・・・メモリ制御回路１、５０３・・・メモリ１、
５０４・・・ホログラフィック訂正符号生成回路、
５０５・・・ホログラフィック変調回路、５０６・・・メモリ制御回路２、
５０７・・・メモリ２、
５０８・・・ＤＶＤ訂正符号生成回路、５０９・・・ＤＶＤ変調回路、
５１０・・・ＤＶＤ誤り訂正回路、５１１・・・ＤＶＤ復調回路
【図１】
2009301627.tif 000003
【図２】
2009301627.tif 000004
【図３】
2009301627.tif 000005
【図４】
2009301627.tif 000006
【図５】
2009301627.tif 000007
【図６】
2009301627.tif 000008
【図７】
2009301627.tif 000009
【図８】
2009301627.tif 000010
【図９】
2009301627.tif 000011
【図１０】
2009301627.tif 000012
【図１１】
2009301627.tif 000013